(57)【要約】      （修正有）【課題】処方箋に記載の情報の入力を容易且つ簡便なものとしながら、誤入力を防ぐ。【解決手段】調剤薬局において、処方箋に基づいて処方箋情報を受け付ける処方箋情報受付装置１は、医薬品ごとの名称、医薬品ごとに定められた用法の種類と用量の範囲を記憶する医薬品情報記憶部１Ｂを有する。入力受付部１６により、医薬品の名称と共に、当該医薬品の用法と用量の入力を受け付けると、判断処理部１５により、医薬品情報記憶部１Ｂを参照して、入力を受け付けた医薬品の用法の種類と用量の範囲の適否を判断する。そして、出力部１７により、医薬品の用法の種類と用量の範囲の適否の判断結果を出力する。【選択図】図１
2020177595.tif 000002
【特許請求の範囲】
【請求項１】
調剤薬局において、処方箋に基づいて処方箋情報を受け付ける装置であって、
医薬品ごとの名称、医薬品ごとに定められた用法の種類と用量の範囲を記憶する医薬品情報記憶手段と、
医薬品の名称と共に、当該医薬品の用法と用量の入力を受け付ける第一の入力受付手段と、
上記医薬品情報記憶手段を参照して、入力を受け付けた上記医薬品の用法の種類と用量の範囲の適否を判断する第一の判断処理手段と、
上記医薬品の用法の種類と用量の範囲の適否の判断結果を出力する第一の出力手段と、を有する、
ことを特徴とする処方箋情報受付装置。
【請求項２】
上記所第一の入力受付手段における上記医薬品の用法の入力は、上記医薬品を服用する日の指定により受け付け、
入力を受け付けた上記医薬品を服用する日の情報から、上記医薬品の用法を判別する判別処理手段、をさらに有する、
請求項１記載の処方箋情報受付装置。
【請求項３】
調剤薬局において、処方箋に基づいて処方箋情報を受け付ける装置であって、
医薬品ごとの名称、医薬品ごとに定められた用法の種類と用量の範囲を記憶する医薬品情報記憶手段と、
医薬品の名称の入力を受け付ける第二の入力受付手段と、
上記医薬品情報記憶手段を参照して、入力を受け付けた上記医薬品の用法の種類と用量の範囲を選択可能に出力する第二の出力手段と、
選択可能に出力された上記医薬品の用法の種類と用量の範囲について、所定の用法と用量の選択入力を受け付ける第三の入力受付手段と、を有する、
ことを特徴とする処方箋情報受付装置。
【請求項４】
上記医薬品を処方された患者について、少なくとも属性情報と当該医薬品の禁忌に係る情報を含む患者情報を記憶する患者情報記憶手段と、
上記患者情報記憶手段を参照して、入力を受け付けた上記医薬品の服用、用法の種類、及び用量の範囲の適否を判断する第二の判断処理手段と、をさらに有する、
請求項１乃至３いずれかの項に記載の処方箋情報受付装置。
【請求項５】
上記処方箋を読み取る読取手段と、
読み取った上記処方箋について、所定の形式の画像を生成する生成手段と、
上記第一又は第三の入力受付手段における用法と用量の入力受付において、上記処方箋の画像を参照可能に出力する第三の出力手段と、をさらに有する、
請求項１乃至４いずれかの項に記載の処方箋情報受付装置。
【請求項６】
上記処方箋に基づいて入力された上記医薬品の用法及び用量に係る情報を所定の媒体に印刷する印刷手段、をさらに有する、
請求項１乃至５いずれかの項に記載の処方箋情報受付装置。
【請求項７】
調剤薬局において、処方箋に基づいて処方箋情報を受け付ける方法であって、
医薬品ごとの名称、医薬品ごとに定められた用法の種類と用量の範囲を記憶する医薬品情報記憶手段、を有するコンピュータが、
医薬品の名称と共に、当該医薬品の用法と用量の入力を受け付ける処理と、
上記医薬品情報記憶手段を参照して、入力を受け付けた上記医薬品の用法の種類と用量の範囲の適否を判断する処理と、
上記医薬品の用法の種類と用量の範囲の適否の判断結果を出力する処理と、を実行する、
ことを特徴とする処方箋情報受付方法。
【請求項８】
調剤薬局において、処方箋に基づいて処方箋情報を受け付けるためのコンピュータプログラムであって、
医薬品ごとの名称、医薬品ごとに定められた用法の種類と用量の範囲を記憶する医薬品情報記憶手段、を有するコンピュータに対し、
医薬品の名称と共に、当該医薬品の用法と用量の入力を受け付ける処理と、
上記医薬品情報記憶手段を参照して、入力を受け付けた上記医薬品の用法の種類と用量の範囲の適否を判断する処理と、
上記医薬品の用法の種類と用量の範囲の適否の判断結果を出力する処理と、を実行させる、
コンピュータプログラム。
【発明の詳細な説明】
【技術分野】
【０００１】
本発明は、処方箋の処方を行う調剤薬局において、処方箋の情報を受け付ける技術に関する。
【背景技術】
【０００２】
医療機関で診察を受けた患者は、医師から医薬品の処方を受けると、処方箋を調剤薬局に出す。調剤薬局では、患者から処方箋を受け取ると、薬剤の調剤を行うと共に、処方箋に記載された情報を調剤薬局の端末に入力し、情報の管理と明細書の発行を行う。
調剤薬局における処方箋に記載の情報は従来、レセプトコンピュータと称されるコンピュータ端末に入力されるが、かかるコンピュータ端末では、医薬品と、当該医薬品ごとに設定された用法や用量がセットになったコードを指定して情報を入力するようになっていた。即ち、所定のコードを入力すると、所定の医薬品、用法、及び用量の組み合わせが自動的に受け付けられる。
【０００３】
しかしながら、患者に対して迅速に医薬品を提供するためには、薬剤師等、調剤薬局にて情報の入力を行う者はコードを覚える必要があった。しかも、コードは、コンピュータ端末を製造、販売するメーカーが独自に設定しているものであるため、利用するコンピュータ端末が変わると、コードを覚え直す必要があった。
【０００４】
この点、特許文献１では、処方せんに基づいて患者名等の基本データと薬剤名及びその服用日数，服用量とを入力し、予め入力されたプログラムに基づいて患者名等の基本データ、薬剤名およびその薬剤保管場所、薬剤の形状、色彩、薬剤の数量、薬効および副作用等を記載した薬剤師指導せんと，患者名、薬剤の形状，色彩による用い方、副作用等を記載した患者指導せんとを作出することを特徴とする調剤薬局における処方せん管理システムが提案されている。
【０００５】
【特許文献１】特開平５−２８２３３７号公報
【発明の開示】
【発明が解決しようとする課題】
【０００６】
処方箋に記載の情報のコンピュータ端末に入力する際、医薬品ごとに用法や用量を分かりやすく入力できるようになっていれば、コンピュータ端末を扱い慣れていない者にとっても負担がなく、迅速に情報を入力できる。一方で、そのような入力の方法を採用する場合、誤入力に配慮する必要がある。
【０００７】
そこで本発明は、処方箋に記載の情報の入力を容易且つ簡便なものとしながら、誤入力を防ぐことを目的とする。
【課題を解決するための手段】
【０００８】
上記目的を達成するため、本発明の一の観点に係る処方箋情報受付装置は、調剤薬局において、処方箋に基づいて処方箋情報を受け付ける装置であって、医薬品ごとの名称、医薬品ごとに定められた用法の種類と用量の範囲を記憶する医薬品情報記憶手段と、医薬品の名称と共に、当該医薬品の用法と用量の入力を受け付ける第一の入力受付手段と、上記医薬品情報記憶手段を参照して、入力を受け付けた上記医薬品の用法の種類と用量の範囲の適否を判断する第一の判断処理手段と、上記医薬品の用法の種類と用量の範囲の適否の判断結果を出力する第一の出力手段と、を有することを特徴とする。
【０００９】
また、上記所第一の入力受付手段における上記医薬品の用法の入力は、上記医薬品を服用する日の指定により受け付け、入力を受け付けた上記医薬品を服用する日の情報から、上記医薬品の用法を判別する判別処理手段、をさらに有するものとしてもよい。
【００１０】
また、調剤薬局において、処方箋に基づいて処方箋情報を受け付ける装置であって、医薬品ごとの名称、医薬品ごとに定められた用法の種類と用量の範囲を記憶する医薬品情報記憶手段と、医薬品の名称の入力を受け付ける第二の入力受付手段と、上記医薬品情報記憶手段を参照して、入力を受け付けた上記医薬品の用法の種類と用量の範囲を選択可能に出力する第二の出力手段と、選択可能に出力された上記医薬品の用法の種類と用量の範囲について、所定の用法と用量の選択入力を受け付ける第三の入力受付手段と、を有するものとしてもよい。
【００１１】
また、上記医薬品を処方された患者について、少なくとも属性情報と当該医薬品の禁忌に係る情報を含む患者情報を記憶する患者情報記憶手段と、上記患者情報記憶手段を参照して、入力を受け付けた上記医薬品の服用、用法の種類、及び用量の範囲の適否を判断する第二の判断処理手段と、をさらに有するものとしてもよい。
【００１２】
また、上記処方箋を読み取る読取手段と、読み取った上記処方箋について、所定の形式の画像を生成する生成手段と、上記第一又は第三の入力受付手段における用法と用量の入力受付において、上記処方箋の画像を参照可能に出力する第三の出力手段と、をさらに有するものとしてもよい。
【００１３】
また、上記処方箋に基づいて入力された上記医薬品の用法及び用量に係る情報を所定の媒体に印刷する印刷手段、をさらに有するものとしてもよい。
【００１４】
また、本発明の別の観点に係る処方箋情報受付方法は、調剤薬局において、処方箋に基づいて処方箋情報を受け付ける方法であって、医薬品ごとの名称、医薬品ごとに定められた用法の種類と用量の範囲を記憶する医薬品情報記憶手段、を有するコンピュータが、医薬品の名称と共に、当該医薬品の用法と用量の入力を受け付ける処理と、上記医薬品情報記憶手段を参照して、入力を受け付けた上記医薬品の用法の種類と用量の範囲の適否を判断する処理と、上記医薬品の用法の種類と用量の範囲の適否の判断結果を出力する処理と、を実行することを特徴とする。
【００１５】
また、本発明のさらに別の観点に係るコンピュータプログラムは、調剤薬局において、処方箋に基づいて処方箋情報を受け付けるためのコンピュータプログラムであって、医薬品ごとの名称、医薬品ごとに定められた用法の種類と用量の範囲を記憶する医薬品情報記憶手段、を有するコンピュータに対し、
医薬品の名称と共に、当該医薬品の用法と用量の入力を受け付ける処理と、上記医薬品情報記憶手段を参照して、入力を受け付けた上記医薬品の用法の種類と用量の範囲の適否を判断する処理と、上記医薬品の用法の種類と用量の範囲の適否の判断結果を出力する処理と、を実行させる。
なお、コンピュータプログラムは、インターネット等のネットワークを介したダウンロードによって提供したり、ＣＤ−ＲＯＭなどのコンピュータ読取可能な各種の記録媒体に記録して提供したりすることができる。
【発明の効果】
【００１６】
本発明によれば、処方箋に記載の情報の入力が容易且つ簡便なものになると同時に、誤入力を防ぐことができる。
【図面の簡単な説明】
【００１７】
【図１】本発明の第一の実施形態に係る処方箋情報受付装置が備える機能を示した機能ブロック図である。
【図２】本実施形態に係る処方箋情報受付装置において、医薬品情報記憶部に記憶されるデータの一例を示した図である。
【図３】本実施形態に係る処方箋情報受付装置において、患者情報記憶部に記憶されるデータの一例を示した図である。
【図４】本実施形態に係る処方箋情報受付装置において、処方情報記憶部に記憶されるデータの一例を示した図である。
【図５】本実施形態に係る処方箋情報受付装置において実行される処理の流れを示した処理フロー図である。
【図６】本実施形態に係る処方箋情報受付装置において実行される処理の流れを示した処理フロー図である。
【図７】本実施形態に係る処方箋情報受付装置において実行される処理の流れを示した処理フロー図である。
【図８】本実施形態に係る処方箋情報受付装置における出力画面の一例を示した図である。
【図９】本実施形態に係る処方箋情報受付装置における出力画面の一例を示した図である。
【図１０】本実施形態に係る処方箋情報受付装置における出力画面の一例を示した図である。
【図１１】本実施形態に係る処方箋情報受付装置における出力画面の一例を示した図である。
【図１２】本実施形態に係る処方箋情報受付装置における出力画面の一例を示した図である。
【図１３】本実施形態に係る処方箋情報受付装置における出力画面の一例を示した図である。
【図１４】本実施形態に係る処方箋情報受付装置における出力画面の一例を示した図である。
【図１５】本実施形態に係る処方箋情報受付装置における出力画面の一例を示した図である。
【図１６】本発明の第二の実施形態に係る処方箋情報受付装置が備える機能を示した機能ブロック図である。
【図１７】本実施形態に係る処方箋情報受付装置において実行される処理の流れを示した処理フロー図である。
【発明を実施するための最良の形態】
【００１８】
以下、本発明の実施形態に係る処方箋情報受付装置について、図を参照して説明する。
本実施形態に係る処方箋情報受付装置は、調剤薬局において処方箋の情報を受け付け、かかる情報を管理したり、かかる情報に基づいた明細書を出力したりする装置であり、レセプトコンピュータとも称されるものである。
【実施例１】
【００１９】
＜機能構成＞
図１に示される、本発明の第一の実施形態に係る処方箋情報受付装置１は、専用のコンピュータ、あるいは専用のソフトウェアがインストールされた汎用コンピュータによって構成され、CPU（Central Processing Unit）、RAM（Random Access Memory）、ROM（Read Only Memory）、ハードディスクドライブといったハードウェア資源、CPUが実行するコンピュータプログラム等のソフトウェア資源により、レイアウト記憶部１Ａ、医薬品情報記憶部１Ｂ、患者情報記憶部１Ｃ、患者情報記憶部１Ｃ、処方情報記憶部１Ｄ、読取処理部１１、画像生成部１２、識別処理部１３、判別処理部１４、判断処理部１５、入力受付部１６、出力部１７、印刷部１８からなる機能部を備える。
なお、本例に言うところのコンピュータには、所謂パーソナルコンピュータのほか、タブレット端末等の可搬型端末など、広くデータの処理を実行可能な端末が含まれる。
【００２０】
レイアウト記憶部１Ａは、各医療機関で発行される処方箋のレイアウトを記憶した記憶部である。
処方箋は、紙に処方薬に関する情報を記載したものであり、発行した医療機関名、患者の氏名、処方された医薬品の名称や用法、用量など、所定の情報が記載されている。この処方箋のレイアウトは、発行する医療機関ごとに異なっているため、医療機関ごとのレイアウトを参照することにより、処方箋のどの部分に何の情報が記載されているかを把握することができる。
【００２１】
医薬品情報記憶部１Ｂは、患者に処方される医薬品に関する情報を記憶した記憶部である。
この医薬品情報記憶部１Ｂには例えば、図２に示されるように、医薬品ごとに、名称、製薬会社、用法、用量、副作用、注意事項、相互作用、添付文書などの情報が記憶されている。
【００２２】
患者情報記憶部１Ｃは、医薬品を処方された患者に関する情報を記憶した記憶部である。
この患者情報記憶部１Ｃには例えば、図３に示されるように、患者の氏名や生年月日等の基本情報、保険に関する被保険者氏名や資格取得年月日等の保険情報、既往歴や医薬品の禁忌等の個人情報が記憶されている。
【００２３】
処方情報記憶部１Ｄは、患者に対する医薬品の処方履歴を記憶した記憶部である。
この処方情報記憶部１Ｄには例えば、図４に示されるように、患者ごとに、処方日、処方を行った医療機関、処方内容など、処方の履歴に関する情報が記憶されている。
この処方履歴は、処方箋に基づいて患者に医薬品を処方する都度、登録され、蓄積されていく。
【００２４】
読取処理部１１は、紙媒体に医薬品の処方内容を印字した処方箋を読み取る処理を実行する機能部である。
この読取処理部１１は、CCDカメラ等の撮像手段等によって構成され、他の機能部を備えた処方箋情報受付装置１とは物理的に分離して設けられたスキャナ等によって実現することもできる。
【００２５】
画像生成部１２は、読取処理部１１によって読み取った処方箋について、ＪＰＥＧやＧＩＦなど、所定のデータ形式の静止画像を生成する処理を実行する。
【００２６】
識別処理部１３は、読取処理部１１によって読み取った処方箋について、処方箋に記載されている文字や内容を識別し、デジタルの文字コードに変換する機能部であり、所謂OCR（Optical Character Recognition）の機能を奏する。
本例では、処方箋に記載されている内容の識別においては、レイアウト記憶部１Ａを参照することにより、処方箋中の記載項目や記載位置などを判別し、記載内容を精度よく識別することができる。ただし、本例にかかわらず、レイアウト記憶部１Ａを参照することなく、AI（Artificial Intelligence）等によってその意味内容等を判別することにより、記載内容を識別し、文字コードに変換することも可能である。
【００２７】
判別処理部１４は、処方された医薬品の用法の入力において、カレンダー等に基づいて医薬品を服用する日の指定入力を受け付けた際、当該受け付けた医薬品を服用する日から服用日の間隔を算出し、これにより用法を把握する。例えば、「１２月１０日、１２月１２日、１２月１４日、１２月１６日・・・」といったように医薬品の服用する日の入力を受け付けた場合、服用の開始日を１２月１０日として、１日おきに服用するという用法であると判別する。
【００２８】
判断処理部１５は、処方された医薬品について、用法及び用量の適否を判断する処理を実行する。
具体的な判断処理の一つは、医薬品情報記憶部１Ｂを参照して、入力を受け付けた医薬品の用法の種類と用量の範囲の適否を判断する。これにより、医薬品自体の性質に基づいた用法、用量の適否が判断される。
また、他の判断処理の一つは、患者情報記憶部１Ｃを参照して、入力を受け付けた医薬品の服用、用法の種類、及び用量の範囲の適否を判断する。これにより、患者自身の薬剤に対する禁忌、小児あるいは大人といった区別、あるいは妊娠の有無等に基づいた医薬品自体の服用、用法、用量の適否が判断される。
【００２９】
入力受付部１６は、医薬品の名称の入力を受け付けたり、医薬品の名称と共に、当該医薬品の用法と用量の入力を受け付けたりするなど、処方箋に関する情報の入力を受け付ける処理を実行する。このような入力受付部１６は例えば、タッチパネルやキーボード、あるいはポインティングデバイス等によって実現される。
【００３０】
出力部１７は、処方箋の情報を入力するためのＧＵＩを出力する機能部である。具体的には、医薬品の用法や用量を入力するための画面を出力したり、処方箋に基づいて入力された医薬品の用法の種類と用量の範囲について、その適否の判断結果を出力したり、用法と用量の入力受付において、処方箋の画像を参照可能に出力したりする。
この出力部１７は例えば、ディスプレイ等によって実現される。
【００３１】
印刷部１８は、処方箋に基づいて入力された医薬品の用法及び用量に係る情報を紙などの所定の媒体に印刷する。
なお、この印刷部１８は、他の機能部を備える処方箋情報受付装置１とは物理的に分離して設けられたプリンタ等によって実現することもできる。
【００３２】
＜処理の流れ１＞
続いて、本実施形態に係る処方箋情報受付装置１によって実行される処理の流れについて説明する。
まず、図５を参照して、一連の流れの全体を説明する。
本実施形態に係る処方箋情報受付装置１を備えた調剤薬局において、患者から処方箋を受け取ると、患者の検索を行う（Ｓ１０１）。患者の検索では、患者の氏名や、予め設けておいたID等に基づいて患者情報記憶部１Ｃに登録されている患者情報が検索され、該当する患者の患者情報が抽出される。
なお、患者が患者情報記憶部１Ｃに未登録であった場合には、所定のアンケート用紙等により、患者から情報を提供してもらい、患者情報記憶部１Ｃに登録する。
【００３３】
情報の入力を行う入力者により、処方箋を発行した医療機関が選択されると（Ｓ１０２）、これにより、続いて実行される処方箋の読み取りや識別等において適用される医療機関のレイアウトが決定される（Ｓ１０３）。
【００３４】
読取処理部１１が処方箋を読み取ると（Ｓ１０４）、画像生成部１２によって所定の形式による処方箋の静止画像が生成される（Ｓ１０５）。またこれと同時に、識別処理部１３はレイアウト記憶部１Ａを参照して、予め選択された処方箋のレイアウトに基づき、読み取られた処方箋の記載内容を識別する（Ｓ１０６）。
【００３５】
以降、後に詳述するとおり、処方された医薬品の名称、用法や用量といった処方箋情報の入力が受け付けられ（Ｓ１０７）、情報の入力が完了すると、印刷部１８により、当該受け付けられた情報に基づいて明細書が印刷される（Ｓ１０８）。
【００３６】
＜処理の流れ２＞
続いて、処方箋の内容が入力される際の処理の流れの詳細について、図６を参照して説明する。
まず、処方箋情報受付装置１のユーザたる入力者から、処方された医薬品の入力を受け付ける（Ｓ２０１）。医薬品の入力の受け付けの方法は特に問わず、医薬品の名称による直接入力、医薬品ごとに予め設定しておいた識別情報、医薬品情報記憶部１Ｂを参照にすることによる一覧からの選択入力や検索入力などによることができる。
そして、医薬品ごとの用法と用量の入力を受け付ける(Ｓ２０２)。
【００３７】
医薬品の用法と用量が入力されると、判断処理部１５によりその適否が判断される（Ｓ２０３）。適否の判断においては、医薬品に応じた適否と、患者に応じた適否が判断される。即ち、前者においては、医薬品情報記憶部１Ｂが参照され、入力を受け付けた医薬品の用法の種類と用量の範囲の適否が判断され、後者においては、患者情報記憶部１Ｃが参照され、入力を受け付けた医薬品の服用、用法の種類、及び用量の範囲の適否が判断される。
【００３８】
用法や用量等の適否の判断の結果、不適切であると判断された場合には、その旨が出力等され（Ｓ２０４）、再入力が受け付けられる（Ｓ２０５）。
一方、入力された用法や用量等が適切なものと判断された場合には、適切である旨が出力されると共に、入力された情報が処方情報記憶部１Ｄに登録される（Ｓ２０６）。
【００３９】
なお、医薬品の用法や用量等の適否の判断処理について、複数の医薬品が処方されていた場合には、医薬品が入力される都度、行うこともできるし、全ての医薬品についての用法や用量等の入力が終了した後、一括して行うこともできる。
【００４０】
＜処理の流れ３＞
ここで、医薬品の用法の入力については実際の画面例によって後述するが、判別処理部１４による処理が介在する入力例の処理を図７により説明する。
図７に示した用法の入力例は、医薬品を服用する日の選択入力を受け付け、これに基づいて用法を判別するものである。
【００４１】
具体的には、所定の医薬品について、服用する日の指定入力を受け付ける（Ｓ３０１）。判別処理部１４はこれに基づき、医薬品を服用する日の間隔を求め、その間隔から用法を判別する（Ｓ３０２）。例えば、医薬品を服用する日の指定入力において、「１２月１０日、１２月１２日、１２月１４日、１２月１６日・・・」と入力された場合には、服用の開始日を１２月１０日として、１日おきに服用するという用法であると判別し、１２月１０日、１２月１１日、１２月１２日、１２月１３日・・・」と入力された場合には、服用の開始日を１２月１０日として、毎日服用するという用法であると判別する。
【００４２】
＜画面例＞
続いて、本実施形態に係る処方箋情報受付装置１において出力される画面例について説明する。
図８は、読取処理部１１によって処方箋が読み取られると共に、画像生成部１２による処方箋の静止画像の生成、識別処理部１３による記載内容の識別が行われた後、処方された医薬品の用法や用量の入力を待機している画面を示している。
【００４３】
この画面では、画像生成部１２によって生成された処方箋の画像１０１が表示されると共に、識別処理部１３によって処方箋の記載内容から識別された医薬品のリスト１０２が表示されており、入力者は、リスト１０２の中から、用法や用量等を入力する医薬品を選択する。
【００４４】
図９に示されるように、入力者がリスト１０２の中から医薬品１０２ａを選択すると、選択された医薬品が選択されたことが分かるよう、色の反転や点滅等の識別効果が付与され、選択されていない他の医薬品と区別可能に表示される。
そして、医薬品を指定して状態で用法入力ボタン１０３が押下されると、用法を入力する画面に移行する。
【００４５】
図１０は、入力者が選択した医薬品について、用法の入力が要求された後の画面例を示している。
この画面例では、入力者が選択した医薬品の情報表示欄１０４と、処方箋の画像中、該当する医薬品が記載されているエリアの拡大表示欄１０５が設けられており、ユーザが指定した医薬品が、処方箋に記載されているものと間違いないかを確認することができる。
【００４６】
入力者が選択した医薬品が、処方箋に記載されているものと間違いなかったことを確認できた場合には、図１１に示される画面に進み、医薬品の服用量として、一日量あるいは一回量の入力が受け付けられる。
この画面例では、容量入力欄１０６が設けられており、ここに医薬品の一日量あるいは一回量が直接入力されるようになっている。
【００４７】
医薬品の一日当たり又は一回当たりの服用量の入力が済むと、図１２の画面例により、用法についての入力が受け付けられる。
この画面例では、「分１」や「分２」といった服用回数等の指定蘭１０７、毎食後や就寝前といった服用時点の指定蘭１０８、服用時点に替えて一日の中での服用時間を指定する指定蘭１０９が設けられている。これらを適宜に入力することにより、医薬品の用法が受け付けられる。
【００４８】
さらに、続く図１３の画面例において、服用日数の入力が受け付けられる。
この画面例では、服用日数を入力するための日数入力欄１１０が設けられており、服用日数を直接入力できるようになっている。
【００４９】
全ての医薬品についてその用法や用量の入力が完了すると、図１４に示す画面例のとおり、入力が完了した医薬品がリスト１１１に表示される。リスト１１１上では、医薬品ごとに入力された用法や用量が表示されており、入力内容を改めて確認することができる。
なお、処方箋に記載されていた医薬品のリスト１０２では、用法と用量が入力された医薬品がわかるよう、入力済みの医薬品については色の反転等の識別が付されている。
【００５０】
以上の本実施形態に係る処方箋情報受付装置１によれば、処方箋を確認しながら、処方された医薬品ごとに用法や用量を簡単に入力することができる。また、医薬品について、その服用、あるいは用法、用量の適否が判断されるため、用法や用法の入力を可能としたことによって生じやすい誤った処方を防ぐことができる。
【００５１】
なお、以上の本実施形態における医薬品の用法の入力においては、図１５に示す画面例に即した入力も可能である。
即ち、図１５の画面例では、カレンダー表記された、服用する日の指定入力欄１１２が設けられており、服用する日の指定入力が受け付けられるようになっている。入力者から、医薬品を服用すべき日が入力されると、判別処理部１４は、当該服用すべき日の間隔を求め、その間隔から用法を判別する。例えば、医薬品を服用する日の指定入力において、「１２月１０日、１２月１２日、１２月１４日、１２月１６日・・・」と入力された場合には、服用の開始日を１２月１０日として、１日おきに服用するという用法であると判別する。
【実施例２】
【００５２】
次に、本発明の第二の実際形態に係る処方箋情報受付装置について説明する。
本実施形態に係る処方箋情報受付装置は、各医薬品について予め決められた用法や用量の範囲内で、用法や用量の入力を受け付けるようにしたものである。
【００５３】
＜機能構成＞
図１６に示される、本実施形態に係る処方箋情報受付装置２は、上述した第一の実施形態に係る処方箋情報受付装置１と同様、専用のコンピュータ、あるいは専用のソフトウェアがインストールされた汎用コンピュータによって構成され、CPU（Central Processing Unit）、RAM（Random Access Memory）、ROM（Read Only Memory）、ハードディスクドライブといったハードウェア資源、CPUが実行するコンピュータプログラム等のソフトウェア資源により、レイアウト記憶部１Ａ、医薬品情報記憶部１Ｂ、患者情報記憶部１Ｃ、処方情報記憶部１Ｄ、読取処理部１１、画像生成部１２、識別処理部１３、判別処理部１４、判断処理部１５、入力受付部１６、出力部１７、印刷部１８からなる機能部を備えるほか、本実施形態に特有な抽出処理部２１を備える。
【００５４】
抽出処理部２１は、医薬品情報記憶部１Ｂを参照して、所定の医薬品について、適切な用法の種類と用量の範囲に係る情報を抽出する。
【００５５】
なお、本実施形態においても、判断処理部１５は患者情報記憶部１Ｃを参照して、入力を受け付けた医薬品の服用、用法の種類、及び用量の範囲の適否を判断するが、必ずしも医薬品情報記憶部１Ｂに基づいた用法等の適否の判断は行われなくてもよい。
【００５６】
＜処理の流れ＞
続いて、本実施形態に係る処方箋情報受付装置２により、処方箋の内容が入力される際の処理の流れの詳細について、図１７を参照して説明する。
なお、本実施形態に係る処方箋情報受付装置２による一連の処理の全体は、図５を参照して説明した第一の実施形態におけるのと同様である。
まず、処方箋情報受付装置２のユーザたる入力者から、処方された医薬品の入力を受け付ける（Ｓ５０１）。医薬品の入力の受け付けの方法は特に問わず、第一の実施形態と同様、医薬品の名称による直接入力、医薬品ごとに予め設定しておいた識別情報、医薬品情報記憶部１Ｂを参照にすることによる一覧からの選択入力や検索入力などによることができる。
【００５７】
これに応じて、抽出処理部２１は、医薬品情報記憶部１Ｂを参照して、入力された医薬品について、適切な用法の種類と用量の範囲に係る情報を抽出する（Ｓ５０２）。
抽出された情報に基づき、入力された各医薬品について、適切な用法と用量を選択可能に出力し（Ｓ５０３）、医薬品ごとの用法と用量の選択入力を受け付ける(Ｓ５０４)。
【００５８】
医薬品の用法と用量が選択入力されると、判断処理部１５によりその適否が判断される（Ｓ５０５）。適否の判断においては、患者情報記憶部１Ｃが参照され、処方対象の患者との関係において、入力を受け付けた医薬品の服用、用法の種類、及び用量の範囲の適否が判断される。
【００５９】
用法や用量等の適否の判断の結果、不適切であると判断された場合には、その旨が出力等され（Ｓ５０６）、再入力が受け付けられる（Ｓ５０７）。
一方、入力された用法や用量等が適切なものと判断された場合には、入力された情報が処方情報記憶部１Ｄに登録される（Ｓ５０８）。
【００６０】
以上の本実施形態に係る処方箋情報受付装置２によれば、医薬品そのものの用法や用量の適否が予め判断された上で、選択可能な用法や用量が選択可能に提示されるため、本実施形態においてもやはり、誤った処方を防ぐことができる。
【００６１】
なお、本実施形態における判断処理部１５による判断処理においは、上述した第一の実施形態と異なり、医薬品情報記憶部１Ｂに基づいた用法等の適否の判断は行わないものとした。これは、医薬品そのものの用法や用量の適否が予め判断された上で、選択可能な用法や用量が選択可能に提示されるため、用法等の入力後にその適否を判断するまでもないことによる。ただし、本発明の実施上、用法等の入力を受け付けた後の適否の判断処理において、上述した第一の実施形態と同様、患者情報記憶部１Ｃを参照した適否の判断と、医薬品情報記憶部１Ｂを参照して適否の判断の両方を行っても問題はない。
【００６２】
また、本実施形態においては、用法等の選択入力を受け付けた後、判断処理部１５によって患者情報記憶部１Ｃを参照した用法等の適否の判断処理を実行するものとしたが、別の実施例においては、Ｓ５０２〜Ｓ５０３における情報の抽出及び出力の工程において、医薬品そのものについて適切な用法等を抽出するにとどまらず、患者情報記憶部１Ｃを参照することによって患者にとって適切な用法等であるか、さらには服用自体が適切であるか否かも判断して用法等を抽出し、これを選択可能に出力してもよい。
【００６３】
このようにした場合には、医薬品そのものの用法や用量の適否と共に、患者にとって禁忌ではないかといった適否が予め判断された上で、選択可能な用法や用量が選択可能に提示されるため、用法等の入力後にこれらの適否を判断せず、そのまま情報を登録するようにしてもよい。
【符号の説明】
【００６４】
１        処方箋情報受付装置
１Ａ      レイアウト記憶部
１Ｂ      医薬品情報記憶部
１Ｃ      患者情報記憶部
１Ｄ      処方情報記憶部
１１      読取処理部
１２      画像生成部
１３      識別処理部
１４      判別処理部
１５      判断処理部
１６      入力受付部
１７      出力部
１８      印刷部
２        処方箋情報受付装置
２１      抽出処理部２１
【図１】
2020177595.tif 000003
【図２】
2020177595.tif 000004
【図３】
2020177595.tif 000005
【図４】
2020177595.tif 000006
【図５】
2020177595.tif 000007
【図６】
2020177595.tif 000008
【図７】
2020177595.tif 000009
【図８】
2020177595.tif 000010
【図９】
2020177595.tif 000011
【図１０】
2020177595.tif 000012
【図１１】
2020177595.tif 000013
【図１２】
2020177595.tif 000014
【図１３】
2020177595.tif 000015
【図１４】
2020177595.tif 000016
【図１５】
2020177595.tif 000017
【図１６】
2020177595.tif 000018
【図１７】
2020177595.tif 000019